【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
マルチ・チャンネル衛星放送信号の受信装置であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信する入力手段と、
前記第１と第２の各信号に応答して、前記第１と第２の組のトランスポンダに対応する複数のデジタル伝送ストリームを同時に供給する処理手段と、
を含むマルチ・チャンネル衛星放送信号の受信装置。
【請求項２】
前記デジタル伝送ストリームの各々には、放送番組が含まれている、請求項１記載のマルチ・チャンネル衛星放送信号の受信装置。
【請求項３】
前記第１のサブバンドが約９５０ＭＨｚから約１４５０ＭＨｚであり、
前記第２のサブバンドが約１６５０ＭＨｚから約２１５０ＭＨｚである、
請求項１記載のマルチ・チャンネル衛星放送信号の受信装置。
【請求項４】
前記第１の組のトランスポンダには奇数番号のトランスポンダが含まれ、
前記第２の組のトランスポンダには偶数番号のトランスポンダが含まれている、
請求項１記載のマルチ・チャンネル衛星放送信号の受信装置。
【請求項５】
前記処理手段には、前記第１と第２のサブバンドを分離する濾波手段が含まれている、請求項１記載のマルチ・チャンネル衛星放送信号の受信装置。
【請求項６】
前記濾波手段には、ハイ・パス・フィルタとロー・パス・フィルタとが含まれている、請求項５記載のマルチ・チャンネル衛星放送信号の受信装置。
【請求項７】
前記処理手段には、第１のアナログ／デジタル変換を行う第１のアナログ／デジタル変換手段と、
第２のアナログ／デジタル変換を行う第２のアナログ／デジタル変換手段と、
が含まれ、
共通クロックが前記第１と第２のアナログ／デジタル変換手段を制御する、
請求項１記載のマルチ・チャンネル衛星放送信号の受信装置。
【請求項８】
前記共通クロックが前記第１と第２のサブバンドとの間の周波数を示す、請求項７記載のマルチ・チャンネル衛星放送信号の受信装置。
【請求項９】
マルチ・チャンネル衛星放送信号の受信装置を動作させる方法であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するステップと、
前記第１と第２の各信号を処理して、前記第１と第２の組のトランスポンダに対応する複数のデジタル伝送ストリームを同時に供給するステップと、
を含む方法。
【請求項１０】
前記デジタル伝送ストリームの各々には、放送番組が含まれている、請求項９記載の方法。
【請求項１１】
前記第１のサブバンドが約９５０ＭＨｚから約１４５０ＭＨｚであり、
前記第２のサブバンドが約１６５０ＭＨｚから約２１５０ＭＨｚである、
請求項９記載の方法。
【請求項１２】
前記第１の組のトランスポンダには奇数番号のトランスポンダが含まれ、
前記第２の組のトランスポンダには偶数番号のトランスポンダが含まれている、
請求項９記載の方法。
【請求項１３】
前記供給するステップには、前記第１と第２のサブバンドを分離する濾波処理が含まれている、請求項９記載の方法。
【請求項１４】
前記濾波処理には、高域通過濾波処理と低域通過濾波処理とが含まれている、請求項１３記載の方法。
【請求項１５】
前記供給するステップには、
第１のアナログ／デジタル変換処理と、
第２のアナログ／デジタル変換処理と、
が含まれ、
共通クロックが前記第１と第２のアナログ／デジタル変換処理を制御する、
請求項９記載の方法。
【請求項１６】
前記共通クロックが前記第１と第２のサブバンドとの間の周波数を示す、請求項１５記載の方法。
【請求項１７】
マルチ・チャンネル衛星放送信号の受信装置であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するように動作する入力端と、
前記第１と第２の各信号に応答して、前記第１と第２の組のトランスポンダに対応する複数のデジタル伝送ストリームを同時に供給するように動作する信号処理回路と、
を含むマルチ・チャンネル衛星放送信号の受信装置。
【請求項１８】
前記デジタル伝送ストリームの各々には、放送番組が含まれている、請求項１７記載のマルチ・チャンネル衛星放送信号の受信装置。
【請求項１９】
前記第１のサブバンドが約９５０ＭＨｚから約１４５０ＭＨｚであり、
前記第２のサブバンドが約１６５０ＭＨｚから約２１５０ＭＨｚである、
請求項１７記載のマルチ・チャンネル衛星放送信号の受信装置。
【請求項２０】
前記第１の組のトランスポンダには奇数番号のトランスポンダが含まれ、
前記第２の組のトランスポンダには偶数番号のトランスポンダが含まれている、
請求項１７記載のマルチ・チャンネル衛星放送信号の受信装置。
【請求項２１】
前記信号処理回路には、前記第１と第２のサブバンドを分離するように動作する濾波回路が含まれている、請求項１７記載のマルチ・チャンネル衛星放送信号の受信装置。
【請求項２２】
前記濾波回路には、ハイ・パス・フィルタとロー・パス・フィルタとが含まれている、請求項２１記載のマルチ・チャンネル衛星放送信号の受信装置。
【請求項２３】
前記信号処理回路には、
第１のアナログ／デジタル変換を行うように動作する第１のアナログ／デジタル変換器と、
第２のアナログ／デジタル変換を行うように動作する第２のアナログ／デジタル変換器と、
が含まれ、
共通クロックが前記第１と第２のアナログ／デジタル変換器を制御する、
請求項１７記載のマルチ・チャンネル衛星放送信号の受信装置。
【請求項２４】
前記共通クロックが前記第１と第２のサブバンドとの間の周波数を示す、請求項２３記載のマルチ・チャンネル衛星放送信号の受信装置。
【手続補正２】
【補正対象書類名】明細書
【補正対象項目名】０００８
【補正方法】変更
【補正の内容】
【０００８】
ここに記載する各実例は、本発明の各推奨実施例を説明するものであり、決して本発明の範囲を限定するものではない。
請求の範囲と実施例との対応関係を図面で使われている参照番号で示すと次の通りである。
１．  マルチ・チャンネル衛星放送信号の受信装置（１００、２００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信する入力手段（１０）と、
前記第１と第２の各信号に応答して、前記第１と第２の組のトランスポンダに対応する複数のデジタル伝送ストリームを同時に供給する処理手段（２０〜７０）と、
を含むマルチ・チャンネル衛星放送信号の受信装置。
２．  前記デジタル伝送ストリームの各々には、放送番組が含まれている、請求項１記載のマルチ・チャンネル衛星放送信号の受信装置（１００、２００）。
３．  前記第１のサブバンドが約９５０ＭＨｚから約１４５０ＭＨｚであり、
前記第２のサブバンドが約１６５０ＭＨｚから約２１５０ＭＨｚである、
請求項１記載のマルチ・チャンネル衛星放送信号の受信装置（１００、２００）。
４．  前記第１の組のトランスポンダには奇数番号のトランスポンダが含まれ、
前記第２の組のトランスポンダには偶数番号のトランスポンダが含まれている、
請求項１記載のマルチ・チャンネル衛星放送信号の受信装置（１００、２００）。
５．  前記処理手段（２０〜７０）には、前記第１と第２のサブバンドを分離する濾波手段（２０、３０）が含まれている、請求項１記載のマルチ・チャンネル衛星放送信号の受信装置（１００、２００）。
６．  前記濾波手段（２０、３０）には、ハイ・パス・フィルタ（２０）とロー・パス・フィルタ（３０）とが含まれている、請求項５記載のマルチ・チャンネル衛星放送信号の受信装置（１００、２００）。
７．  前記処理手段（２０〜７０）には、第１のアナログ／デジタル変換を行う第１のアナログ／デジタル変換手段（４０）と、
第２のアナログ／デジタル変換を行う第２のアナログ／デジタル変換手段（５０）と、
が含まれ、
共通クロック（ＣＬＫ）が前記第１と第２のアナログ／デジタル変換手段（４０、５０）を制御する、
請求項１記載のマルチ・チャンネル衛星放送信号の受信装置（１００、２００）。
８．  前記共通クロック（ＣＬＫ）が前記第１と第２のサブバンドとの間の周波数を示す、請求項７記載のマルチ・チャンネル衛星放送信号の受信装置（１００、２００）。
９．  マルチ・チャンネル衛星放送信号の受信装置を動作させる方法（３００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するステップと、
前記第１と第２の各信号を処理して、前記第１と第２の組のトランスポンダに対応する複数のデジタル伝送ストリームを同時に供給するステップと、
を含む方法。
１０．  前記デジタル伝送ストリームの各々には、放送番組が含まれている、請求項９記載の方法（３００）。
１１．  前記第１のサブバンドが約９５０ＭＨｚから約１４５０ＭＨｚであり、
前記第２のサブバンドが約１６５０ＭＨｚから約２１５０ＭＨｚである、
請求項９記載の方法（３００）。
１２．  前記第１の組のトランスポンダには奇数番号のトランスポンダが含まれ、
前記第２の組のトランスポンダには偶数番号のトランスポンダが含まれている、
請求項９記載の方法（３００）。
１３．  前記供給するステップには、前記第１と第２のサブバンドを分離する濾波処理が含まれている、請求項９記載の方法（３００）。
１４．  前記濾波処理には、高域通過濾波処理と低域通過濾波処理とが含まれている、請求項１３記載の方法（３００）。
１５．  前記供給するステップには、
第１のアナログ／デジタル変換処理と、
第２のアナログ／デジタル変換処理と、
が含まれ、
共通クロック（ＣＬＫ）が前記第１と第２のアナログ／デジタル変換処理を制御する、
請求項９記載の方法（３００）。
１６．  前記共通クロック（ＣＬＫ）が前記第１と第２のサブバンドとの間の周波数を示す、請求項１５記載の方法（３００）。
１７．  マルチ・チャンネル衛星放送信号の受信装置（１００、２００）であって、
第１の組のトランスポンダから与えられた第１の偏波を以前に呈していた、第１の各信号を含む第１のサブバンドと、第２の組のトランスポンダから与えられた第２の偏波を以前に呈していた、第２の各信号を含む第２のサブバンドとを有する所定周波数帯域から、単一のケーブルを介して入力信号を受信するように動作する入力端（１０）と、
前記第１と第２の各信号に応答して、前記第１と第２の組のトランスポンダに対応する複数のデジタル伝送ストリームを同時に供給するように動作する信号処理回路（２０〜７０）と、
を含むマルチ・チャンネル衛星放送信号の受信装置。
１８．  前記デジタル伝送ストリームの各々には、放送番組が含まれている、請求項１７記載のマルチ・チャンネル衛星放送信号の受信装置（１００、２００）。
１９．  前記第１のサブバンドが約９５０ＭＨｚから約１４５０ＭＨｚであり、
前記第２のサブバンドが約１６５０ＭＨｚから約２１５０ＭＨｚである、
請求項１７記載のマルチ・チャンネル衛星放送信号の受信装置（１００、２００）。
２０．  前記第１の組のトランスポンダには奇数番号のトランスポンダが含まれ、
前記第２の組のトランスポンダには偶数番号のトランスポンダが含まれている、
請求項１７記載のマルチ・チャンネル衛星放送信号の受信装置（１００、２００）。
２１．  前記信号処理回路（２０〜７０）には、前記第１と第２のサブバンドを分離するように動作する濾波回路（２０、３０）が含まれている、請求項１７記載のマルチ・チャンネル衛星放送信号の受信装置（１００、２００）。
２２．  前記濾波回路（２０、３０）には、ハイ・パス・フィルタ（２０）とロー・パス・フィルタ（３０）とが含まれている、請求項２１記載のマルチ・チャンネル衛星放送信号の受信装置（１００、２００）。
２３．  前記信号処理回路（２０〜７０）には、
第１のアナログ／デジタル変換を行うように動作する第１のアナログ／デジタル変換器（４０）と、
第２のアナログ／デジタル変換を行うように動作する第２のアナログ／デジタル変換器（５０）と、
が含まれ、
共通クロック（ＣＬＫ）が前記第１と第２のアナログ／デジタル変換器（４０、５０）を制御する、
請求項１７記載のマルチ・チャンネル衛星放送信号の受信装置（１００、２００）。
２４．  前記共通クロック（ＣＬＫ）が前記第１と第２のサブバンドとの間の周波数を示す、請求項２３記載のマルチ・チャンネル衛星放送信号の受信装置（１００、２００）。